(57)【要約】【課題】  表現できる階調数が多く、疑似輪郭の発生を大幅に抑制し得る。【解決手段】  駆動方法は、（ａ）α＋Ｋ×ｎ番目（ｎは０以上の任意の整数；Ｋは２以上の所定整数；αは０以上Ｋ未満の所定整数）の階調レベルの輝度で前記表示セルを点灯させるとき、α＋Ｋ×（ｎ−１）番目の階調レベルの輝度で前記表示セルが点灯するサブフィールド期間に加えて他のサブフィールド期間にも前記表示セルを点灯させるステップと、（ｂ）前記α＋Ｋ×（ｎ−１）番目の階調レベルと前記α＋Ｋ×ｎ番目の階調レベルとの間の中間階調レベルの輝度で前記表示セルを点灯させるとき、前記各フィールドの表示期間のうちの所定サブフィールド期間でのみ、前記α＋Ｋ×（ｎ−１）番目または前記α＋Ｋ×ｎ番目の階調レベルにおける点灯状態または消灯状態とは逆の状態へ前記表示セルを設定するステップと、を備える。【選択図】    図１０
2006030356.tif 000002
【特許請求の範囲】
【請求項１】
映像信号を構成する各フィールドの表示期間を、複数のサブフィールド期間で構成して多階調表示を行う複数の表示セルからなる表示パネルの駆動方法であって、
（ａ）α＋Ｋ×ｎ番目（ｎは０以上の任意の整数；Ｋは２以上の所定整数；αは０以上Ｋ未満の所定整数）の階調レベルの輝度で前記表示セルを点灯させるとき、α＋Ｋ×（ｎ−１）番目の階調レベルの輝度で前記表示セルが点灯するサブフィールド期間に加えて他のサブフィールド期間にも前記表示セルを点灯させるステップと、
（ｂ）前記α＋Ｋ×（ｎ−１）番目の階調レベルと前記α＋Ｋ×ｎ番目の階調レベルとの間の中間階調レベルの輝度で前記表示セルを点灯させるとき、前記各フィールドの表示期間のうちの所定サブフィールド期間でのみ、前記α＋Ｋ×（ｎ−１）番目または前記α＋Ｋ×ｎ番目の階調レベルにおける点灯状態または消灯状態とは逆の状態へ前記表示セルを設定するステップと、
を備えることを特徴とする表示パネルの駆動方法。
【請求項２】
請求項１記載の表示パネルの駆動方法であって、前記ステップ（ａ）において、前記表示セルが点灯するサブフィールド期間は連続していることを特徴とする表示パネルの駆動方法。
【請求項３】
請求項１または２記載の表示パネルの駆動方法であって、前記ステップ（ａ）において、前記整数Ｋが２に設定され、前記ステップ（ｂ）において、前記所定サブフィールド期間は１個または２個のサブフィールド期間に限定されることを特徴とする表示パネルの駆動方法。
【請求項４】
請求項３記載の表示パネルの駆動方法であって、前記サブフィールド期間のＮ個（Ｎは２以上の整数）を用いて２Ｎ−１階調表示を行うことを特徴とする表示パネルの駆動方法。
【請求項５】
請求項３または４記載の表示パネルの駆動方法であって、前記ステップ（ｂ）において、前記表示セルが点灯する２個のサブフィールド期間の間に、前記表示セルが消灯する２個以上のサブフィールド期間が連続しないことを特徴とする表示パネルの駆動方法。
【請求項６】
請求項１から５のうちのいずれか１項に記載の表示パネルの駆動方法であって、
前記ステップ（ａ）および（ｂ）を実行するために、前記階調レベルの各々に対応した前記サブフィールド期間の各々における前記表示セルの点灯状態および消灯状態の組み合わせからなる発光パターンが複数個用意されており、
（ｃ）少なくとも各フィールド毎に、適用する発光パターンを他の発光パターンに切り換えるステップ、を含むことを特徴とする表示パネルの駆動方法。
【請求項７】
請求項６記載の表示パネルの駆動方法であって、前記ステップ（ｃ）は、前記表示セルを複数の表示セル群に分類し、各表示セル群毎に異なる発光パターンを適用するステップを含むことを特徴とする表示パネルの駆動方法。
【請求項８】
請求項７記載の表示パネルの駆動方法であって、前記ステップ（ｃ）は、前記表示パネルの偶数番目の表示ライン上の表示セル群に第１の発光パターンを適用し、前記表示パネルの奇数番目の表示ライン上の表示セル群に前記第１の発光パターンとは異なる第２の発光パターンを適用するステップを含むことを特徴とする表示パネルの駆動方法。
【請求項９】
請求項７または８記載の表示パネルの駆動方法であって、前記ステップ（ｃ）は、前記表示セル群にそれぞれ適用している発光パターンを、少なくとも各フィールド毎に他の発光パターンへ切り換えるステップを含むことを特徴とする表示パネルの駆動方法。
【請求項１０】
請求項１から９のうちのいずれか１項に記載の表示パネルの駆動方法であって、プラズマディスプレイパネルを駆動することを特徴とする表示パネルの駆動方法。
【請求項１１】
映像信号を構成する各フィールドの表示期間を、複数のサブフィールド期間で構成して多階調表示を行う複数の表示セルからなる表示パネルの駆動装置であって、
前記表示セルの各々を駆動するドライバ回路と、
前記ドライバ回路を制御するコントローラと、を備えており、
前記コントローラは、
α＋Ｋ×ｎ番目（ｎは０以上の任意の整数；Ｋは２以上の所定整数；αは０以上Ｋ未満の所定整数）の階調レベルの輝度で前記表示セルを点灯させるとき、α＋Ｋ×（ｎ−１）番目の階調レベルの輝度で前記表示セルが点灯するサブフィールド期間に加えて他のサブフィールド期間にも前記表示セルを点灯させる第１の制御処理と、
前記α＋Ｋ×（ｎ−１）番目の階調レベルと前記α＋Ｋ×ｎ番目の階調レベルとの間の中間階調レベルの輝度で前記表示セルを点灯させるとき、前記各フィールドの表示期間のうちの所定サブフィールド期間でのみ、前記α＋Ｋ×（ｎ−１）番目または前記α＋Ｋ×ｎ番目の階調レベルにおける点灯状態または消灯状態とは逆の状態へ前記表示セルを設定する第２の制御処理と、
を実行することを特徴とする表示パネルの駆動装置。
【請求項１２】
請求項１１記載の表示パネルの駆動装置であって、前記第１の制御処理において、前記表示セルが点灯するサブフィールド期間は連続していることを特徴とする表示パネルの駆動装置。
【請求項１３】
請求項１１または１２記載の表示パネルの駆動装置であって、前記コントローラは、前記第１の制御処理において、前記整数Ｋを２に設定し、前記第２の制御処理においては、前記所定サブフィールド期間を１個または２個に限定することを特徴とする表示パネルの駆動装置。
【請求項１４】
請求項１１から１３のうちのいずれか１項に記載の表示パネルの駆動装置であって、
前記第１および第２の制御処理を実行するために、前記階調レベルの各々に対応した前記サブフィールド期間の各々における前記表示セルの点灯状態および消灯状態の組み合わせからなる発光パターンを複数個記憶したメモリを有しており、
前記コントローラは、少なくとも各フィールド毎に、適用する発光パターンを他の発光パターンに切り換える第３の制御処理を実行することを特徴とする表示パネルの駆動装置。
【請求項１５】
請求項１４記載の表示パネルの駆動装置であって、前記第３の制御処理は、前記表示セルを複数の表示セル群に分類し、各表示セル群毎に異なる発光パターンを適用する制御処理を含むことを特徴とする表示パネルの駆動装置。
【請求項１６】
請求項１５記載の表示パネルの駆動装置であって、前記第３の制御処理は、前記表示パネルの偶数番目の表示ライン上の表示セル群に第１の発光パターンを適用し、前記表示パネルの奇数番目の表示ライン上の表示セル群に前記第１の発光パターンとは異なる第２の発光パターンを適用する制御処理を含むことを特徴とする表示パネルの駆動装置。
【請求項１７】
請求項１５または１６記載の表示パネルの駆動装置であって、前記第３の制御処理は、前記表示セル群にそれぞれ適用している発光パターンを、少なくとも各フィールド毎に他の発光パターンに切り換える制御処理を含むことを特徴とする表示パネルの駆動装置。
【発明の詳細な説明】
【技術分野】
【０００１】
本発明は、プラズマディスプレイなどのディスプレイ装置における表示パネルの駆動技術に関する。
【背景技術】
【０００２】
プラズマディスプレイは、マトリクス状に配列している複数個の放電セルを有しており、選択した放電セルにガス放電を起こして発生した紫外線で放電セル内の蛍光体を励起することで発光する。単位時間当たりの放電セルの放電回数、すなわち放電セルに印加する放電維持パルスの回数を制御することで多階調の輝度表示が可能である。一般に、プラズマディスプレイの駆動方式としては、１枚の画像に相当する１フィールドを複数のサブフィールドに分割し、各サブフィールドにおける発光維持期間の比率を２のべき乗に設定し、これらサブフィールドの組み合わせで多階調表示を行うというサブフィールド法が採用されている。たとえば、８個のサブフィールドＳＦ1 ，ＳＦ2 ，…，ＳＦ8 の発光維持期間の比率（すなわち輝度の重み）をそれぞれ２0 ：２1 ：２2 ：２3 ：２4 ：２5 ：２6 ：２7 、すなわち１：２：４：８：１６：３２：６４：１２８に設定すれば、サブフィールドの組み合わせで２５６階調を実現することが可能である。サブフィールド法に関する技術は、たとえば、特許文献１（特開２００４−４６０６号公報）に開示されている。
【０００３】
図１に、４個のサブフィールドＳＦ1 ，ＳＦ2 ，ＳＦ3 ，ＳＦ4 の重みをそれぞれ２0 ：２1 ：２2 ：２3 、すなわち１：２：４：８に設定したときの発光パターンを例示する。図１中、記号「○」は、維持放電による発光を意味する。全てのサブフィールドＳＦ1 〜ＳＦ4 の期間で放電セルが発光しない階調レベル「０」から、全てのサブフィールドＳＦ1 〜ＳＦ4 の期間で放電セルが発光する階調レベル「１５」までの１６階調表示が可能である。
【０００４】
サブフィールド法によりプラズマディスプレイが動画像を表示する場合、観測者は、いわゆる疑似輪郭と称するノイズを知覚し、これにより表示品質が著しく損なわれる問題が知られている。この疑似輪郭を説明するために、図１に示したように４個のサブフィールドＳＦ1 〜ＳＦ4 の組み合わせで１６階調表示を行う場合を想定する。図２に示すように、階調レベル「７」の画素Ｐ０〜Ｐ４と階調レベル「８」の画素Ｐ５〜Ｐ６を持つフィールド１の画像があり、このフィールド１の画像が１画素だけ上方に移動したフィールド２の画像があるものとする。フィールド１，２の画像は時間的に連続して表示される。人間の目は移動する輝点に追従する特性を持つため、観測者が輝度レベル「７」の画素と輝度レベル「８」の画素との境界付近を見ているとき、観測者の視点が発光しないサブフィールドＳＦ1 〜ＳＦ3 に追従すると、当該境界付近で輝度レベル「７」の画素と輝度レベル「８」の画素間に輝度レベル「０」の黒点を、本来存在しないノイズすなわち疑似輪郭として知覚してしまう。
【０００５】
このような疑似輪郭の発生を防止する駆動方式として、特許文献２（特開２０００−２２７７７８号公報）に記載される駆動法が知られている。この駆動法では、１フィールドの表示期間内に、サブフィールドの発光パターンが時間的且つ空間的に連続するため、前述の疑似輪郭が原理上発生しないという利点がある。しかしながら、この駆動法では、表現できる階調数が少ないというデメリットがあった。
【特許文献１】特開２００４−４６０６号公報（段落「００１７」〜「００３１」参照）
【特許文献２】特開２０００−２２７７７８号公報
【発明の開示】
【発明が解決しようとする課題】
【０００６】
上記に鑑みて本発明の目的は、表現できる階調数が多く、疑似輪郭の発生を大幅に抑制し得る表示パネルの駆動方法および駆動装置を提供する点にある。
【課題を解決するための手段】
【０００７】
上記目的を達成すべく、請求項１記載の発明は、映像信号を構成する各フィールドの表示期間を、複数のサブフィールド期間で構成して多階調表示を行う複数の表示セルからなる表示パネルの駆動方法であって、（ａ）α＋Ｋ×ｎ番目（ｎは０以上の任意の整数；Ｋは２以上の所定整数；αは０以上Ｋ未満の所定整数）の階調レベルの輝度で前記表示セルを点灯させるとき、α＋Ｋ×（ｎ−１）番目の階調レベルの輝度で前記表示セルが点灯するサブフィールド期間に加えて他のサブフィールド期間にも前記表示セルを点灯させるステップと、（ｂ）前記α＋Ｋ×（ｎ−１）番目の階調レベルと前記α＋Ｋ×ｎ番目の階調レベルとの間の中間階調レベルの輝度で前記表示セルを点灯させるとき、前記各フィールドの表示期間のうちの所定サブフィールド期間でのみ、前記α＋Ｋ×（ｎ−１）番目または前記α＋Ｋ×ｎ番目の階調レベルにおける点灯状態または消灯状態とは逆の状態へ前記表示セルを設定するステップと、を備えることを特徴としている。
【０００８】
請求項１１記載の発明は、映像信号を構成する各フィールドの表示期間を、複数のサブフィールド期間で構成して多階調表示を行う複数の表示セルからなる表示パネルの駆動装置であって、前記表示セルの各々を駆動するドライバ回路と、前記ドライバ回路を制御するコントローラと、を備えており、前記コントローラは、α＋Ｋ×ｎ番目（ｎは０以上の任意の整数；Ｋは２以上の所定整数；αは０以上Ｋ未満の所定整数）の階調レベルの輝度で前記表示セルを点灯させるとき、α＋Ｋ×（ｎ−１）番目の階調レベルの輝度で前記表示セルが点灯するサブフィールド期間に加えて他のサブフィールド期間にも前記表示セルを点灯させる第１の制御処理と、前記α＋Ｋ×（ｎ−１）番目の階調レベルと前記α＋Ｋ×ｎ番目の階調レベルとの間の中間階調レベルの輝度で前記表示セルを点灯させるとき、前記各フィールドの表示期間のうちの所定サブフィールド期間でのみ、前記α＋Ｋ×（ｎ−１）番目または前記α＋Ｋ×ｎ番目の階調レベルにおける点灯状態または消灯状態とは逆の状態へ前記表示セルを設定する第２の制御処理と、を実行することを特徴としている。
【発明を実施するための最良の形態】
【０００９】
以下、本発明に係る種々の実施例について説明する。
【００１０】
図３は、本発明に係る実施例のプラズマディスプレイ（ディスプレイ装置）１を概略的に示すブロック図である。このプラズマディスプレイ１は、表示パネル（プラズマディスプレイパネル）２と、表示パネル２内の放電セル（表示セル）ＣＬ，…，ＣＬを駆動するアドレス電極ドライバ１６および維持電極ドライバ１７Ａ，１７Ｂとを備えている。プラズマディスプレイ１は、さらに、Ａ／Ｄ変換器（ＡＤＣ）１０，データ変換部１１，階調処理部１２，データ生成部１３，フレームメモリ回路１４およびコントローラ２１を備えている。コントローラ２１は、外部から入力する同期信号およびクロック信号を用いて処理ブロック１１，１２，１３，１４，１６，１７Ａ，１７Ｂを制御する。
【００１１】
入力映像信号は、Ｒ（赤色），Ｇ（緑色），Ｂ（青色）のアナログ信号で構成されており、Ａ／Ｄ変換器１０は、たとえばＲ，Ｇ，Ｂのアナログ信号をそれぞれサンプリングし量子化することで、Ｒ，Ｇ，Ｂ各々のデジタル映像信号ＤＤを生成してこれをデータ変換部１１に供給する。データ変換部１１は、予め記憶されている特性曲線に従ってデジタル映像信号ＤＤを逆ガンマ変換して、コントローラ２１の指示に応じたビット長の補正映像信号ＰＤを階調処理部１２に出力する。データ変換部１１は、たとえば、８ビット長のデジタル映像信号ＤＤを逆ガンマ補正して２〜１０ビット長の補正映像信号ＰＤを出力できる。
【００１２】
階調処理部１２は、データ変換部１１から入力した補正映像信号ＰＤに誤差拡散処理およびディザ処理を施して得た映像信号ＰＤｓをデータ生成部１３に出力する。たとえば、データ変換部１１からＬビット（Ｌは正整数）の補正映像信号ＰＤが入力したとき、階調処理部１２は、補正映像信号ＰＤの下位ｘビット（ｘはＬ未満の正整数）を周辺画素の信号の上位Ｌ−ｘビットに拡散する誤差拡散処理を実行し、さらに、誤差拡散処理で得られたＬ−ｘビット信号にディザマトリクスの要素を加算した後に右ビットシフトすることで上位Ｌ−ｙビット（ｙはＬ−ｘ未満の正整数）の映像信号ＰＤｓを出力できる。ディザマトリクスの要素は予めメモリ（図示せず）に記憶されている。
【００１３】
データ生成部１３は、階調処理部１２から入力した映像信号ＰＤからフィールドデータＦＤを生成してこれをフレームメモリ回路１４に出力する。フレームメモリ回路１４は、入力したフィールドデータＦＤを内部のバッファメモリ（図示せず）に一時的に記憶する一方、当該バッファメモリに記録されているデータをサブフィールド単位で読み出してアドレス電極ドライバ１６に供給する。アドレス電極ドライバ１６は、フレームメモリ回路１４から入力するデータＳＤに基づいてアドレスパルスを発生しこれらを所定のタイミングでアドレス電極Ｄ1 〜Ｄm に印加する。
【００１４】
表示パネル２は、面状且つマトリクス状に配列している複数の放電セルＣＬ，ＣＬ，…と、アドレス電極ドライバ１６からＹ方向に伸長するｍ本（ｍは２以上の整数）のアドレス電極Ｄ1 ，…，Ｄm と、第１維持電極ドライバ１７Ａから、Ｙ方向と直交するＸ方向に伸長するｎ＋１本（ｎは２以上の整数）の維持電極Ｌ1 ，…，Ｌn+1 と、第２維持電極ドライバ１７Ｂから−Ｘ方向に伸長するｎ本の維持電極Ｓ1 ，…，Ｓn とを備えている。放電セルＣＬ，ＣＬ，…は、アドレス電極Ｄ1 〜Ｄm と維持電極Ｌ1 〜Ｌn+1 ，Ｓ1 〜Ｓn との交差点付近の領域に形成されている。
【００１５】
上記表示パネル２の一部領域の平面図を図４に示す。図５は、図４に示した表示パネル２の５−５線に沿った断面図である。維持電極Ｓj ，Ｓj+1 （ｊは１〜ｎ−１の整数）の各々は、−Ｘ方向に伸長する帯状のバス電極Ｓｂと、バス電極Ｓｂと接続しＹ方向に伸長する帯状の透明電極Ｓａ，Ｓａ，…とで構成されている。透明電極Ｓａは、ＩＴＯ（インジウム錫酸化物）などの透明導電材料からなり、Ｔ字形状の両端部を有している。またバス電極Ｓｂは黒色または暗色の金属膜からなる。維持電極Ｌj ，Ｌj+1 の各々は、Ｘ方向に伸長し黒色または暗色の金属膜からなる帯状のバス電極Ｌｂと、バス電極Ｌｂと接続しＹ方向に伸長する帯状の透明電極Ｌａ，Ｌａ，…とで構成されている。透明電極Ｌａは、ＩＴＯなどの透明導電材料からなり、透明電極Ｓａの一方の先端部と放電ギャップＧ１を介して対向するＴ字形状の先端部を有している。図５に示すように、これら維持電極Ｓj ，Ｓj+1 ，Ｌj ，Ｌj+1 は、透光性の前面基板４２の裏面に形成されており、さらに、維持電極Ｓj ，Ｓj+1 ，Ｌj ，Ｌj+1 を被覆するように前面誘電体層４３が成膜されている。この前面誘電体層４３上には、黒色または暗色の顔料を含む光吸収性の誘電体層（ブラックストライプ）４０，４０，…が、Ｘ方向に伸長してストライプ状に形成されている。なお、前面誘電体層４３とブラックストライプ４０，…の裏面にはＭｇＯ（酸化マグネシウム）からなる保護膜（図示せず）が形成されている。
【００１６】
一方、前面基板４２と対向する背面基板４６上には、Ｙ方向に伸長する帯状のアドレス電極Ｄk-1 ，Ｄk ，Ｄk+1 （ｋは１〜ｍ−１の整数）が成膜されている。図４に示す通り、アドレス電極Ｄk-1 ，Ｄk ，Ｄk+1 の各々は、一対の透明電極Ｓａ，ＬａとＺ方向（前面基板４２の深さ方向）に対向するように配置される。図５を参照すると、これらアドレス電極Ｄk-1 ，Ｄk ，Ｄk+1 を被覆し保護する背面誘電体層（保護層）４５が形成されており、背面誘電体層４５上には、Ｘ−Ｙ平面において連続する隔壁（リブ）４１Ａ，４１Ｂ，４１Ｃが設けられている。第１隔壁４１Ａ，４１Ａ，…は、それぞれ、バス電極Ｌｂ，Ｌｂ，…の直下にＸ方向に沿ってストライプ状に設けられ、第２隔壁４１Ｂ，４１Ｂ，…は、それぞれ、バス電極Ｓｂ，Ｓｂ，…の直下にＸ方向に沿ってストライプ状に設けられている。第１隔壁４１Ａとブラックストライプ４０との間には誘電体４４が積層されている。第３隔壁４１Ｃ，４１Ｃ，…は、背面誘電体層４５上であってアドレス電極上の各空間をＸ方向に区画するように設けられている。図４に示す通り、上記隔壁（リブ）４１Ａ，４１Ｂ，４１Ｃにより、一対の透明電極Ｌａ，Ｓａとアドレス電極Ｄk との間に主放電空間６０が形成され、且つ、透明電極Ｓａの先端部とアドレス電極Ｄk との間に副放電空間６１が形成されることとなる。主放電空間６０と副放電空間６１とは、ブラックストライプ４０と第２隔壁４１Ｂとの間の間隙Ｇ２を介して連通している。また主放電空間６０と副放電空間６１には、放電により紫外線を発生するＸｅ（キセノン）などからなる放電ガスが封入されている。
【００１７】
副放電空間６１の内壁には、比較的仕事関数が低い２次電子放出材料，たとえば、ＭｇＯ（酸化マグネシウム）またはＢａＯ（酸化バリウム）などからなる電子放出層４７が形成されている。主放電空間６０の内壁には、ガス放電で発生した紫外線を受けて、赤色（Ｒ），緑色（Ｇ）または青色（Ｂ）の光を発する蛍光体層４８が塗布されている。図３に示した放電セルＣＬは、第１隔壁４１Ａ，４１Ａと第３隔壁４１Ｃ，４１Ｃとで区画される領域に対応しており、各放電セルＣＬは、１つの主放電空間６０と１つの副放電空間６１とを有している。以上、表示パネル２の構造について説明した。
【００１８】
図３を参照すると、コントローラ２１は、メモリ２２に格納された複数の発光駆動フォーマットと発光パターンに従って駆動制御処理を実行することができる。以下、本実施例の駆動法を説明する前に従来の駆動法について概説する。図６は、従来の発光駆動フォーマットを示す図であり、図７は、図６に示す発光駆動フォーマットによる発光パターンを示す図である。
【００１９】
図６を参照すると、映像信号の１フィールドの表示期間は、表示順に連続的に配置されたＮ個（Ｎは１以上の整数）のサブフィールドＳＦ1 〜ＳＦN の期間（サブフィールド期間）で構成されており、サブフィールドＳＦ1 〜ＳＦN の各々は、アドレス期間Ｔｗと維持期間Ｔｉと消去期間Ｔｅとを有している。先頭のサブフィールドＳＦ1 のみが、アドレス期間Ｔｗの前にリセット期間Ｔｒを有している。サブフィールドＳＦ1 ，ＳＦ2 ，ＳＦ3 ，…，ＳＦN には、それぞれ、２0 ，２1 ，２2 ，…，２N の重みに比例する発光維持期間Ｔｉ，Ｔｉ，Ｔｉ，…，Ｔｉが割り当てられているものとする。
【００２０】
先頭のサブフィールドＳＦ1 のリセット期間Ｔｒでは、コントローラ２１は、維持電極Ｌ1 〜Ｌn+1 ，Ｓ1 〜Ｓn にリセットパルスを印加するように維持電極ドライバ１７Ａ，１７Ｂを制御して、表示パネル２の全ての放電セルＣＬ，…にリセット放電を起こし壁電荷を生起させる。続けて、コントローラ２１は、維持電極Ｌ1 〜Ｌn+1 ，Ｓ1 〜Ｓn に消去パルスを印加するように維持電極ドライバ１７Ａ，１７Ｂを制御して、表示パネル２の全ての放電セルＣＬ，…の壁電荷を一斉に消滅させる。これにより、全ての放電セルＣＬ，…は、消灯状態に初期化されることとなる。
【００２１】
また、リセット期間Ｔｒに続くアドレス期間Ｔｗでは、表示パネル２の放電セルＣＬ，…のうちの点灯すべき放電セルＣＬ，…に選択的に壁電荷が蓄積される。具体的には、第１維持電極ドライバ１７Ａは維持電極Ｌ1 〜Ｌn+1 に順次走査パルスを印加し、第２維持電極ドライバ１７Ｂは維持電極Ｓ1 〜Ｓn に順次走査パルスを印加する。アドレス電極ドライバ１６は、それら走査パルスに同期したアドレスパルス群をアドレス電極Ｄ1 〜Ｄm に順次印加する。これにより、図５に示す表示パネル２の主放電空間６０，６１でガス放電（書込アドレス放電）が起こり、副放電空間６１で発生した電荷は、間隙Ｇ２を通して主放電空間６０に移動する。この結果、主放電空間６０に壁電荷が蓄積されることとなる。
【００２２】
アドレス期間Ｔｗの後の維持期間Ｔｉでは、維持電極ドライバ１７Ａ，１７Ｂが、それぞれ、維持電極Ｌ1 〜Ｌn+1 ，Ｓ1 〜Ｓn に放電維持パルスを割り当てられた回数だけ繰り返し印加する。これにより、壁電荷が蓄積されている放電セルＣＬ，…では、図３に示す主放電空間６０内の一対の透明電極Ｓａ，Ｌａ間でガス放電（維持放電）が繰り返し発生し、この放電で発生した紫外線を受けて蛍光体層４８が励起し、Ｒ，Ｇ，Ｂのいずれかの光を放出する。維持期間Ｔｉの後の消去期間Ｔｅでは、コントローラ２１は、全ての放電セルＣＬ，…に一斉に消去放電を起こすことで壁電荷を消滅させる。
【００２３】
続くサブフィールドＳＦ2 のアドレス期間Ｔｗでは、点灯すべき放電セルＣＬ，…に選択的に壁電荷が蓄積され、次いで維持期間Ｔｉでは、放電セルＣＬ，…に放電維持パルスが印加され、消去期間Ｔｅでは、全ての放電セルＣＬ，…から壁電荷が消滅する。このようなプロセスが、サブフィールドＳＦ3 〜ＳＦN の各々で繰り返し実行される。
【００２４】
データ生成部１３は、図７に示される変換テーブルに従って、階調処理部１２から入力するＮビット階調の補正映像信号ＰＤｓをＮビットの２進信号からなるフィールドデータＦＤに変換してこれをフレームメモリ回路１４に出力する。具体的には、映像信号ＰＤｓの階調レベルが「０」のときは、フィールドデータＦＤの第１番目の最下位ビット（ＬＳＢ;Least Significant Bit）から第Ｎ番目の最上位ビット（ＭＳＢ;Most Significant Bit）までの全ビットの値が「０」に設定される。映像信号ＰＤｓの階調レベルが「ｋ」（ｋは１〜２N −１の整数）のときは、当該階調レベルｋの２進数の値を持つフィールドデータＦＤが生成される。たとえば、階調レベルが「３」の場合、フィールドデータＦＤは「０００…０１１」の値を有し、階調レベルが「２N −１」の場合、フィールドデータＦＤは「１１１…１１１」の値を有することとなる。
【００２５】
フレームメモリ回路１４は、記憶しているフィールドデータＦＤをサブフィールド単位で読み出してアドレス電極ドライバ１６に出力する。アドレス電極ドライバ１６は、各アドレス期間Ｔｗにおいて、フレームメモリ回路１４から入力するデータＳＤを順次サンプリングしラッチした後、データＳＤの値に対応する図７の発光パターンに基づいてアドレスパルスを発生し、これらをアドレス電極Ｄ1 〜Ｄm に印加する。図７中、記号"○"は、上記書込アドレス放電および維持放電の発生，すなわち放電セルＣＬの点灯状態を意味し、記号"○"が表示されていないサブフィールド期間では、放電セルＣＬが消灯状態にあることを意味する。各サブフィールド期間における点灯状態と消灯状態との組み合わせによって各階調レベルでの発光パターンが定まることとなる。図７に示した発光パターンでは、たとえば、階調レベル「７」と階調レベル「８」との間の発光重心（１フィールドの表示期間における輝度の時間的な重心位置）の差が大きいため、上述の如き疑似輪郭が発生するという欠点がある。
【００２６】
次に、本実施例の駆動法を説明する。図８，９は、本実施例の２種類の発光駆動フォーマットを示す図であり、これら図８，９は一点鎖線３０を介して相互に連続している。図８，９中の（Ａ），（Ｂ）は、それぞれ発光駆動フォーマットＡ，Ｂを示している。図１０は、発光駆動フォーマットＡに対応する発光パターンＡを示し、図１１は、発光駆動フォーマットＢに対応する発光パターンＢを示している。
【００２７】
図８，９を参照すると、発光駆動フォーマットＡ，Ｂでは、映像信号の１フィールドの表示期間は１４個のサブフィールドＳＦ1 〜ＳＦ14 の期間で構成されている。サブフィールドＳＦ1 〜ＳＦ14 の各々は、１つのアドレス期間Ｔｗと、１つまたは２つの維持期間Ｔｉと、１つの消去期間Ｔｅとを有している。また、先頭のサブフィールドＳＦ1 のみが、アドレス期間Ｔｗの前にリセット期間Ｔｒを有している。アドレス期間Ｔｗ，維持期間Ｔｉ，消去期間Ｔｅおよびリセット期間Ｔｒにおける各駆動方法は上述の通りである。
【００２８】
後述するように、疑似輪郭を抑制する観点からは、発光パターンＡと発光パターンＢとを各フィールド毎に交互に切り換えるのが好ましい。すなわち、図１２に示すように、一連のフィールド１，２，３，４，…には、それぞれ、発光パターンＡ，Ｂ，Ａ，Ｂ，…が適用される。
【００２９】
また、発光パターンＡを表示パネル２の偶数番目の水平方向の表示ライン上の表示セル群ＧＣ1 に適用し、発光パターンＢを奇数番目の水平方向の表示ライン上の表示セル群ＧＣ2 に適用してもよい。たとえば、図１３に示すように、一連のフィールド１，２，…の表示期間において、表示セル群ＧＣ1 に適用する発光パターンを発光パターンＡに固定し、表示セル群ＧＣ2 に適用する発光パターンを発光パターンＢに固定してもよい。
【００３０】
あるいは、図１４に示すように、フィールド１では、表示セル群ＧＣ1 に発光パターンＡを適用し且つ表示セル群ＧＣ2 に発光パターンＢを適用し、次のフィールド２では、表示セル群ＧＣ1 に発光パターンＢを適用し且つ表示セル群ＧＣ2 に発光パターンＡを適用を適用し、さらに次のフィールド３では、表示セル群ＧＣ1 に発光パターンＡを適用し且つ表示セル群ＧＣ2 に発光パターンＢを適用してもよい。動画像疑似輪郭を抑制する観点からは、図１４に示すように、各フィールド毎に、表示セル群ＧＣ1 ，ＧＣ2 にそれぞれ適用している発光パターンを他の発光パターンに切り換えることが好ましい。
【００３１】
図１０に示される発光パターンＡでは、サブフィールドＳＦ1 ，ＳＦ2 ，ＳＦ3 ，ＳＦ4 ，ＳＦ5 ，ＳＦ6 ，ＳＦ7 ，ＳＦ8 ，ＳＦ9 ，ＳＦ10 ，ＳＦ11 ，ＳＦ12 ，ＳＦ13 ，ＳＦ14 に割り当てられた重みは、それぞれ、「１」，「２（＝１＋１）」，「３（＝１＋２）」，「５（＝２＋３）」，「７（＝３＋４）」，「７（＝３＋４）」，「１４（＝６＋８）」，「１６（＝８＋８）」，「２４（＝１０＋１４）」，「２４（＝１０＋１４）」，「３２（＝１６＋１６）」，「４２（＝１８＋２４）」，「４８（＝２４＋２４）」，「３０」である。図１１に示される発光パターンＢでは、サブフィールドＳＦ1 ，ＳＦ2 ，ＳＦ3 ，ＳＦ4 ，ＳＦ5 ，ＳＦ6 ，ＳＦ7 ，ＳＦ8 ，ＳＦ9 ，ＳＦ10 ，ＳＦ11 ，ＳＦ12 ，ＳＦ13 ，ＳＦ14 に割り当てられた重みは、それぞれ、「１」，「１」，「２（＝１＋１）」，「４（＝２＋２）」，「６（＝３＋３）」，「７（＝４＋３）」，「１０（＝４＋６）」，「１６（＝８＋８）」，「１８（＝８＋１０）」，「２４（＝１４＋１０）」，「３０（＝１４＋１６）」，「３４（＝１６＋１８）」，「４８（＝２４＋２４）」，「５４（＝２４＋３０）」となる。各階調レベルに対応する輝度レベルは、点灯状態（"○"）にあるサブフィールド期間の重みの合計である。たとえば、発光パターンＡにおいて、階調レベル「６」に対応する輝度レベルは、サブフィールドＳＦ1 ，ＳＦ2 ，ＳＦ4 の各期間の重みの合計すなわち「８（＝１＋２＋５）」となる。図１５は、発光パターンＡによる階調レベルに対する輝度レベルのグラフを示している。
【００３２】
発光駆動フォーマットＡでは、先頭と最後尾のサブフィールドＳＦ1 ，ＳＦ14 を除いて、各サブフィールドの発光維持期間は２つの期間Ｔｉ，Ｔｉに分かれており、発光駆動フォーマットＢでは、先頭とその次のサブフィールドＳＦ1 ，ＳＦ2 を除いて、各サブフィールドの発光維持期間は２つの期間Ｔｉ，Ｔｉに分かれている。たとえば、図８に示されるように、発光駆動フォーマットＡのサブフィールドＳＦ2 での維持期間Ｔｉ，Ｔｉは、それぞれ、発光駆動フォーマットＢのサブフィールドＳＦ2 ，ＳＦ3 での維持期間Ｔｉ，Ｔｉと同期しており、発光駆動フォーマットＡのサブフィールドＳＦ2 での維持期間Ｔｉ，Ｔｉの間に、発光駆動フォーマットＢの消去期間Ｔｅとアドレス期間Ｔｗとが介在している。このように、発光駆動フォーマットＡ，Ｂのうちの一方のフォーマットで消去放電と書込アドレス放電とが起きる期間Ｔｅ，Ｔｗには、他方のフォーマットでは何ら放電が発生せず、双方のフォーマットの間で放電維持期間Ｔｉ，Ｔｉは同期している。
【００３３】
なお、図８，９では、全てのサブフィールドＳＦ1 〜ＳＦ14 において維持期間Ｔｉ，…，Ｔｉの長さが全て同じであるが、実際には、各サブフィールドの重みに応じた維持期間が割り当てられている。
【００３４】
先ず、発光パターンＡについて説明する。コントローラ２１は、α＋Ｋ×ｎ番目（ｎは０以上の任意の整数；Ｋは２以上の所定整数；αは０以上Ｋ未満の所定整数）の階調レベルの輝度で放電セルＣＬを点灯させるときは、α＋Ｋ×（ｎ−１）番目の階調レベルの輝度で放電セルＣＬが点灯するサブフィールド期間に加えて他のサブフィールド期間にも放電セルＣＬを点灯させる制御処理を行う。初期値αを「１」に且つ係数Ｋを「２」に設定した場合、コントローラ２１は、図１０に示される発光パターンＡに基づいて制御処理を行うこととなる。発光パターンＡによれば、０番目の階調レベル「０」では、放電セルＣＬが点灯するサブフィールドは存在せず、１番目の階調レベル「１」では、放電セルＣＬが点灯するサブフィールドはＳＦ1 のみであり、１＋２×ｎ番目（ｎは２以上）の奇数番目の輝度レベル「３」，「５」，「７」，…，「２３」または「２５」では、放電セルＣＬが点灯するサブフィールド期間は終始一貫して連続している。たとえば、階調レベル「９」の輝度で放電セルＣＬが点灯するときは、放電セルＣＬが点灯状態にあるサブフィールドＳＦ1 〜ＳＦ5 の期間が連続しており、これら一連のサブフィールド期間において、放電セルＣＬが消灯状態にあるサブフィールド期間が介在することがない。
【００３５】
また、１＋２×ｎ番目の階調レベルの輝度で放電セルＣＬが点灯するサブフィールド期間は、１＋２×（ｎ−１）番目の階調レベルの輝度で放電セルＣＬが点灯するサブフィールド期間と、更に１個のサブフィールド期間とで構成される。たとえば、階調レベル「５」の輝度で放電セルＣＬが点灯するサブフィールド期間は、階調レベル「３」の輝度で放電セルＣＬが点灯するサブフィールドＳＦ1 ，ＳＦ2 の期間と、更に１個のサブフィールドＳＦ3 の期間とで構成されている。
【００３６】
コントローラ２１は、α＋Ｋ×（ｎ−１）番目の階調レベルとα＋Ｋ×ｎ番目の階調レベルとの間の中間階調レベルの輝度で放電セルＣＬを点灯させるときは、各フィールドの表示期間のうちの予め定めたサブフィールド期間でのみ、α＋Ｋ×（ｎ−１）番目またはα＋Ｋ×ｎ番目の階調レベルにおける点灯状態または消灯状態とは逆の状態へ放電セルＣＬを設定する制御処理を実行する。発光パターンＡ（α＝１；Ｋ＝２）によれば、コントローラ２１は、奇数番目の階調レベル「１＋２×（ｎ−１）」と「１＋２×ｎ」の間の中間階調レベル「２×ｎ」の輝度で放電セルＣＬを発光させるとき、１個または２個のサブフィールド期間でのみ、階調レベル「１＋２×（ｎ−１）」または「１＋２×ｎ」における点灯状態または消灯状態とは逆の状態へ放電セルＣＬを設定する。たとえば、階調レベル「１」と「３」の間の中間階調レベル「２」の輝度で放電セルＣＬが点灯するとき、図１０の領域Ａ１に示されるように、１個のサブフィールドＳＦ1 の期間でのみ、階調レベル「３」での点灯状態とは逆の消灯状態が設定される。また、階調レベル「３」と「５」の間の中間階調レベル「４」の輝度で放電セルＣＬが点灯するとき、図１０の領域Ａ２に示されるように、２個のサブフィールドＳＦ2 ，ＳＦ3 の期間でのみ、放電セルＣＬは、階調レベル「３」での点灯状態および消灯状態とは逆の状態へ設定される。階調レベル「５」と「７」の間の中間階調レベル「６」の輝度で放電セルＣＬが点灯するときは、図１０の領域Ａ３に示されるように、１個のサブフィールドＳＦ3 の期間でのみ、階調レベル「７」での点灯状態とは逆の消灯状態が設定される。また、階調レベル「７」と「９」の間の中間階調レベル「８」の輝度で放電セルＣＬが点灯するときは、図１０の領域Ａ４に示されるように、２個のサブフィールドＳＦ4 ，ＳＦ5 の期間でのみ、階調レベル「７」での点灯状態および消灯状態とは逆の状態が設定される。
【００３７】
さらに、階調レベル「９」と「１１」の間の中間階調レベル「１０」の輝度で放電セルＣＬが点灯するときは、図１０の領域Ｂ１に示されるように、１個のサブフィールドＳＦ4 の期間でのみ、階調レベル「１１」での点灯状態とは逆の消灯状態が設定される。階調レベル「１１」と「１３」の間の中間階調レベル「１２」の輝度で放電セルＣＬが点灯するときは、図１０の領域Ｂ２，Ｂ３に示されるように、２個のサブフィールドＳＦ5 ，ＳＦ7 の期間でのみ、階調レベル「１１」での点灯状態および消灯状態とは逆の状態が設定されることとなる。
【００３８】
また、中間階調レベル「２」，「４」，…，「２４」では、放電セルＣＬが点灯状態にある２個のサブフィールド期間の間に、放電セルＣＬが消灯状態にあるサブフィールド期間は２個以上連続しない。たとえば、図１０に示されるように、偶数番目の階調レベル「１０」での点灯状態のサブフィールドＳＦ1 ，ＳＦ2 ，ＳＦ3 ，ＳＦ5 ，ＳＦ6 の期間においては、消灯状態のサブフィールド期間は、サブフィールドＳＦ4 の期間のみであり、それらサブフィールド期間において消灯状態のサブフィールド期間が２個以上連続することはない。
【００３９】
次に、図１１に示される発光パターンＢについて説明する。上述の通り、コントローラ２１は、α＋Ｋ×ｎ番目の階調レベルの輝度で放電セルＣＬを点灯させるときは、α＋Ｋ×（ｎ−１）番目の階調レベルの輝度で放電セルＣＬが点灯するサブフィールド期間に加えて他のサブフィールド期間にも放電セルＣＬを点灯させる制御処理を行う。初期値αを「０」に且つ係数Ｋを「２」に設定した場合、コントローラ２１は、発光パターンＢに基づいて制御処理を行うこととなる。発光パターンＢによれば、０番目の階調レベル「０」では、放電セルＣＬが点灯するサブフィールドは存在せず、１番目の階調レベル「１」では、放電セルＣＬが点灯するサブフィールドはＳＦ1 のみであり、２×ｎ番目（ｎは１以上）の偶数番目の輝度レベル「２」，「４」，…，「２４」または「２６」では、放電セルＣＬが点灯するサブフィールド期間は終始一貫して連続している。たとえば、階調レベル「１０」の輝度で放電セルＣＬを点灯するときは、放電セルＣＬが点灯状態にあるサブフィールドＳＦ1 〜ＳＦ6 の期間が連続しており、これら一連のサブフィールド期間は、放電セルＣＬが消灯状態にあるサブフィールド期間を含むことがない。
【００４０】
また、２×ｎ番目の階調レベルの輝度で放電セルＣＬが点灯するサブフィールド期間は、２×（ｎ−１）番目の階調レベルの輝度で放電セルＣＬが点灯するサブフィールド期間と、更に１個のサブフィールド期間とで構成される。たとえば、階調レベル「６」の輝度で放電セルＣＬが点灯するサブフィールド期間は、階調レベル「４」の輝度で放電セルＣＬが点灯するサブフィールドＳＦ1 ，ＳＦ2 ，ＳＦ3 の期間と、更に１個のサブフィールドＳＦ4 の期間とで構成されている。
【００４１】
上述した通り、コントローラ２１は、α＋Ｋ×（ｎ−１）番目の階調レベルとα＋Ｋ×ｎ番目の階調レベルとの間の中間階調レベルの輝度で放電セルＣＬを点灯させるときは、各フィールドの表示期間のうちの予め定めたサブフィールド期間でのみ、α＋Ｋ×（ｎ−１）番目またはα＋Ｋ×ｎ番目の階調レベルにおける点灯状態または消灯状態とは逆の状態へ放電セルＣＬを設定する制御処理を実行する。発光パターンＢ（α＝０；Ｋ＝２）によれば、コントローラ２１は、偶数番目の階調レベル「２×（ｎ−１）」と「２×ｎ」間の中間階調レベル「１＋２×（ｎ−１）」の輝度で放電セルＣＬを発光させるとき、１個または２個のサブフィールド期間でのみ、階調レベル「２×（ｎ−１）」または「２×ｎ」における点灯状態または消灯状態とは逆の状態へ放電セルＣＬを設定する。たとえば、階調レベル「０」と「２」の間の中間階調レベル「１」の輝度で放電セルＣＬが点灯するとき、図１１の領域Ｃ１に示されるように、１個のサブフィールドＳＦ2 の期間でのみ、階調レベル「２」での点灯状態とは逆の状態が設定される。また、階調レベル「２」と「４」の間の中間階調レベル「３」の輝度で放電セルＣＬが点灯するとき、図１１の領域Ｃ２に示されるように、２個のサブフィールドＳＦ2 ，ＳＦ3 の期間でのみ、放電セルＣＬは、階調レベル「２」での点灯状態および消灯状態とは逆の状態へ設定される。階調レベル「４」と「６」の間の中間階調レベル「５」の輝度で放電セルＣＬが点灯するときは、図１１の領域Ｃ３に示されるように、１個のサブフィールドＳＦ3 の期間でのみ、階調レベル「６」での点灯状態とは逆の消灯状態が設定される。階調レベル「６」と「８」の間の中間階調レベル「７」の輝度で放電セルＣＬが点灯するときは、図１１の領域Ｃ４に示されるように、２個のサブフィールドＳＦ4 ，ＳＦ5 でのみ、階調レベル「６」での点灯状態および消灯状態とは逆の状態が設定される。
【００４２】
さらに、階調レベル「８」と「１０」の間の中間階調レベル「９」の輝度で放電セルＣＬが点灯するときは、図１１の領域Ｄ５に示されるように、１個のサブフィールドＳＦ4 でのみ、階調レベル「１０」での点灯状態とは逆の消灯状態が設定される。階調レベル「１０」と「１２」の間の中間階調レベル「１１」の輝度で放電セルＣＬが点灯するときは、図１１の領域Ｄ６，Ｄ７に示されるように、２個のサブフィールドＳＦ5 ，ＳＦ7 の期間でのみ、階調レベル「１０」での点灯状態および消灯状態とは逆の状態が設定されることとなる。
【００４３】
また、中間階調レベル「３」，「５」，「７」，…，「２５」では、放電セルＣＬが点灯状態にある２個のサブフィールド期間の間に、放電セルＣＬが消灯状態にあるサブフィールド期間は２個以上連続しない。たとえば、図１１に示されるように、奇数番目の階調レベル「９」での点灯状態のサブフィールドＳＦ1 ，ＳＦ2 ，ＳＦ3 ，ＳＦ5 ，ＳＦ6 の期間においては、消灯状態のサブフィールド期間はサブフィールドＳＦ4 の期間のみであり、それらサブフィールド期間において消灯状態のサブフィールド期間が２個以上連続することはない。
【００４４】
上記発光パターンＡ，Ｂによれば、１４個のサブフィールドＳＦ1 〜ＳＦ14 を用いて２７（＝２×１４−１）階調表示を行うことができる。Ｎ個（Ｎは１以上の整数）のサブフィールドを用いれば２Ｎ−１階調表示が可能である。したがって、階調数の多い画像を表示することが可能である。
【００４５】
また、上記２種類の発光パターンＡ，Ｂによって、表現できる階調数が多く且つ疑似輪郭の発生を大幅に抑制することが可能である。すなわち、発光パターンＡでは、奇数番目の階調レベル「３」，「５」…での発光状態のサブフィールド期間は終始一貫して連続しており、偶数番目の階調レベル「２」，「４」…では、点灯状態のサブフィールド期間とサブフィールド期間との間に、消灯状態のサブフィールド期間が２個以上連続しない。発光パターンＢでは、偶数番目の階調レベル「２」，「４」…での点灯状態のサブフィールド期間は終始一貫して連続しており、奇数番目の階調レベル「３」，「５」…では、点灯状態のサブフィールド期間とサブフィールド期間との間に、消灯状態のサブフィールド期間が２個以上連続しない。よって、同一発光パターン内において隣接する階調レベル間での発光重心（１フィールドの表示期間における輝度の時間的な重心位置）の差が小さいため、プラズマディスプレイ１に動画像を表示するとき、疑似輪郭状ノイズの発生を抑制することができる。
【００４６】
また、図１２に示したように、発光パターンＡ，Ｂを各フィールド毎に交互に切り換えることで疑似輪郭状ノイズを大幅に抑制することが可能である。今、フィールド１の画像とフィールド２の画像とが連続的に表示される場合を想定する。図１６に示すように、フィールド１の画像は、階調レベル「１７」の画素領域，階調レベル「１８」の画素領域および階調レベル「１９」の画素領域からなり、フィールド２の画像は、フィールド１の画像が下方へ８画素だけ移動したものである。フィールド１，２にはともに上記発光パターンＡのみが適用される。人間の目は移動する輝点に追従する特性を持つ。よって、観測者が、階調レベルすなわち輝度レベルが緩やかに変化するフィールド１，２の画像を連続して見たとき、観測者の視点がサブフィールドＳＦ7 に追従して移動すると、観測者はフィールド１，２における視点上の輝度を平均化するため、低い輝度レベル「７９」の画素と低い輝度レベル「８９」の画素との間に、比較的高い輝度レベル「１０３」の画素を疑似輪郭状ノイズとして知覚してしまう。図１６に示したように観測者の視点が移動した場合に画素位置と観測者が知覚する輝度レベルとの関係を図１７のグラフに示す。このグラフからも、輝度レベル「１０３」の画素が疑似輪郭状ノイズとして知覚され得ることが分かる。
【００４７】
次に、フィールド１に上記発光パターンＡを適用し、続くフィールド２に上記発光パターンＢを適用した場合を説明する。図１７に示すように、フィールド１の画像は、階調レベル「１７」の画素領域，階調レベル「１８」の画素領域および階調レベル「１９」の画素領域からなり、フィールド２の画像は、フィールド１の画像が下方へ８画素だけ移動したものである。観測者がフィールド１，２の画像を見たときに観測者の視点が下方へ移動しても、観測者は、輝度レベルが緩やかに変化する画像を知覚するが、疑似輪郭状ノイズをほとんど知覚しない。図１８に示したように観測者の視点が移動した場合に画素位置と観測者が知覚する輝度レベルとの関係を図１９のグラフに示す。このグラフからも、疑似輪郭状ノイズの発生が大幅に抑制されていることが分かる。
【００４８】
さらに、図１４に示したように、各フィールド毎に、偶数番目の表示ライン上の表示セル群ＧＣ1 と奇数番目の表示ライン上のＧＣ2 とにそれぞれ適用している発光パターンを他の発光パターンに切り換えることで、疑似輪郭の発生の大幅な抑制が可能になる。すなわち、発光パターンＡの偶数番目の階調レベル「２」，「４」…では、点灯状態のサブフィールド期間とサブフィールド期間との間に、消灯状態のサブフィールド期間が介在する一方で、発光パターンＢの偶数番目の階調レベル「２」，「４」…では、点灯状態のサブフィールド期間が終始一貫して連続しているため、偶数番目の階調レベルにおいては、発光パターンＢが、発光パターンＡにおける点灯状態の非連続性を補償することができる。他方、発光パターンＢの奇数番目の階調レベル「３」，「５」…では、点灯状態のサブフィールド期間とサブフィールド期間との間に、消灯状態のサブフィールド期間が介在する一方で、発光パターンＡの奇数番目の階調レベル「３」，「５」…では、点灯状態のサブフィールド期間が終始一貫して連続しているため、奇数番目の階調レベルにおいては、発光パターンＡが、発光パターンＢにおける点灯状態の非連続性を補償することができる。したがって、疑似輪郭状ノイズの発生を大幅に抑制することが可能である。さらにフリッカの発生も抑制され得る。
【００４９】
以上、主に発光パターンＡ，Ｂを用いた実施例について説明した。上述の通り、発光パターンＡ，Ｂでは、α＋Ｋ×（ｎ−１）番目の階調レベルとα＋Ｋ×ｎ番目の階調レベルとの間の中間階調レベルの数は、係数Ｋが「２」に設定されているために、１個だけである。一般に、α＋Ｋ×（ｎ−１）番目の階調レベルとα＋Ｋ×ｎ番目の階調レベルとの間の中間階調レベルの数は、Ｋ−１個となるため、係数Ｋを大きく設定する程に階調数を増すことができる。しかしながら、疑似輪郭状ノイズの発生抑制の観点からは、放電セルＣＬが点灯する点灯状態のサブフィールド期間はできるだけ連続することが望ましいが、中間階調レベルにおいては、点灯状態のサブフィールド期間とサブフィールド期間との間に、放電セルＣＬが消灯する消灯状態のサブフィールド期間が介在し、点灯状態の非連続性が存在する。中間階調レベルの数が増える程に、その介在する消灯状態のサブフィールド期間の数が増えることとなる。
【００５０】
したがって、疑似輪郭状ノイズの発生抑制の観点からは、α＋Ｋ×（ｎ−１）番目の階調レベルの発光重心と中間階調レベルの発光重心との差ができるだけ小さく、且つ、α＋Ｋ×ｎ番目の階調レベルの発光重心位置と中間階調レベルの発光重心との差ができるだけ小さくなるように、中間階調レベルにおける発光パターンを形成するのが好ましい。
【図面の簡単な説明】
【００５１】
【図１】４個のサブフィールドを用いた場合の発光パターンを例示する図である。
【図２】疑似輪郭を説明するための図である。
【図３】本発明に係る実施例のプラズマディスプレイを概略的に示すブロック図である。
【図４】プラズマディスプレイの表示パネルの一部領域の平面図である。
【図５】図４に示した表示パネルの５−５線に沿った断面図である。
【図６】従来の発光駆動フォーマットを示す図である。
【図７】図６に示した発光駆動フォーマットによる発光パターンを例示する図である。
【図８】本実施例の発光駆動フォーマットを示す図である。
【図９】本実施例の発光駆動フォーマットを示す図である。
【図１０】図８（Ａ）および図９（Ａ）に示した発光駆動フォーマットに対応する第１の発光パターンを示す図である。
【図１１】図８（Ｂ）および図９（Ｂ）に示した発光駆動フォーマットに対応する第２の発光パターンを示す図である。
【図１２】発光パターンの適用例を示す図である。
【図１３】発光パターンの他の適用例を示す図である。
【図１４】発光パターンの更に他の適用例を示す図である。
【図１５】第１の発光パターンによる階調レベルと輝度レベルとの対応を示す図である。
【図１６】動画像を例示する図である。
【図１７】画素位置に対する輝度レベルを示すグラフである。
【図１８】動画像を例示する図である。
【図１９】画素位置に対する輝度レベルを示すグラフである。
【符号の説明】
【００５２】
１  プラズマディスプレイ
２  表示パネル
１０  Ａ／Ｄ変換器（ＡＤＣ）
１１  データ変換部
１２  階調処理部
１３  データ生成部
１４  フレームメモリ回路
１６  アドレス電極ドライバ
１７Ａ，１７Ｂ  維持電極ドライバ
２１  コントローラ
２２  メモリ
【図１】
2006030356.tif 000003
【図２】
2006030356.tif 000004
【図３】
2006030356.tif 000005
【図４】
2006030356.tif 000006
【図５】
2006030356.tif 000007
【図６】
2006030356.tif 000008
【図７】
2006030356.tif 000009
【図８】
2006030356.tif 000010
【図９】
2006030356.tif 000011
【図１０】
2006030356.tif 000012
【図１１】
2006030356.tif 000013
【図１２】
2006030356.tif 000014
【図１３】
2006030356.tif 000015
【図１４】
2006030356.tif 000016
【図１５】
2006030356.tif 000017
【図１６】
2006030356.tif 000018
【図１７】
2006030356.tif 000019
【図１８】
2006030356.tif 000020
【図１９】
2006030356.tif 000021